(57)【要約】【課題】複数の波長選択スイッチを有する装置を小型化すること。【解決手段】第１入力部から入力された波長多重光である第１光信号の偏波面を所定の方向に揃え、かつ、第２入力部から入力された波長多重光である第２光信号の偏波面を所定の方向と直交する方向に揃えるように制御する。そして、偏波面の方向が制御された第１光信号および第２光信号に多重化されている光信号それぞれの光路を波長ごとに分岐し、波長ごとに分岐された光信号それぞれを、偏波面の方向に基づいて、異なる方向に分離する。そして、異なる方向に分離した光信号それぞれを集光し、集光した光信号それぞれの入射位置に基づいて、第１光信号に多重化されていた光信号が第１出力部から出力されるように制御する。また、第２光信号に多重化されていた光信号が第２出力部から出力されるように制御する。【選択図】図１
2011085688.tif 000002
【特許請求の範囲】
【請求項１】
第１入力部から入力された波長多重光である第１光信号の偏波面を所定の方向に揃え、かつ、第２入力部から入力された波長多重光である第２光信号の偏波面を前記所定の方向と直交する方向に揃えるように制御する偏波制御部と、
前記偏波制御部によって偏波面の方向が制御された前記第１光信号および前記第２光信号に多重化されている光信号それぞれの光路を波長ごとに分岐する波長分岐部と、
前記波長分岐部によって波長ごとに分岐された光信号それぞれを、偏波面の方向に基づいて分離する偏光分離部と、
前記偏光分離部によって分離された光信号をそれぞれ集光する集光部と、
前記集光部によって集光された光信号をそれぞれ反射する光信号反射部と、
前記光信号反射部に入射された光信号の入射位置に基づいて、前記第１光信号に多重化されていた光信号が前記第１入力部に対応する第１出力部から出力され、かつ、前記第２光信号に多重化されていた光信号が前記第２入力部に対応する第２出力部から出力されるように前記光信号反射部を制御する反射制御部と
を有することを特徴とする波長選択スイッチ。
【請求項２】
前記光信号反射部は、ＭＥＭＳミラーを有し、
前記反射制御部は、前記第１光信号および前記第２光信号それぞれに多重化されていた波長ごとの光信号が前記第１出力部および前記第２出力部それぞれから所定の減衰率で出力されるように前記ＭＥＭＳミラーの角度を制御することを特徴とする請求項１に記載の波長選択スイッチ。
【請求項３】
前記光信号反射部は、ＭＥＭＳミラーおよび液晶素子を有し、
前記反射制御部は、前記第１光信号および前記第２光信号それぞれに多重化されていた波長ごとの光信号が前記第１出力部および前記第２出力部それぞれから出力されるように前記ＭＥＭＳミラーの角度を制御し、当該波長ごとの光信号が所定の減衰率になるように前記液晶素子を制御することを特徴とする請求項１に記載の波長選択スイッチ。
【請求項４】
前記波長分岐部は、反射型回折格子によって前記第１光信号および前記第２光信号に多重化された光信号それぞれの光路を波長ごとに異なる方向に分岐することを特徴とする請求項１に記載の波長選択スイッチ。
【請求項５】
前記波長分岐部は、前記反射型回折格子または前記透過型回折格子からなる第１の回折格子および第２の回折格子を有し、前記第１の回折格子によって分岐された前記第１光信号の偏波面を前記所定の方向と直交する方向に揃え、かつ、前記第１の回折格子によって分岐された前記第２の光信号の偏波面を前記所定の方向に揃えるように制御したのち、偏波面が揃えられた第１光信号および第２光信号を前記第２の回折格子に入射させることを特徴とする請求項１に記載の波長選択スイッチ。
【請求項６】
第１入力部から入力された波長多重光である第１光信号の偏波面を所定の方向に揃え、かつ、第２入力部から入力された波長多重光である第２光信号の偏波面を前記所定の方向と直交する方向に揃えるように制御する偏波制御部と、
前記偏波制御部によって偏波面の方向が制御された前記第１光信号および前記第２光信号に多重化されている光信号それぞれの光路を波長ごとに分岐する波長分岐部と、
前記波長分岐部によって波長ごとに分岐された光信号それぞれを、偏波面の方向に基づいて分離する偏光分離部と、
前記偏光分離部によって分離された光信号をそれぞれ集光する集光部と、
前記集光部によって集光された光信号をそれぞれ反射する光信号反射部と、
前記光信号反射部に入射された光信号の入射位置に基づいて、前記第１光信号に多重化されていた光信号が前記第１入力部に対応する第１出力部から出力され、かつ、前記第２光信号に多重化されていた光信号が前記第２入力部に対応する第２出力部から出力されるように前記光信号反射部を制御する反射制御部と
を備える波長選択スイッチを有することを特徴とする光伝送装置。
【発明の詳細な説明】
【技術分野】
【０００１】
この発明は、波長選択スイッチおよび光伝送装置に関する。
【背景技術】
【０００２】
従来、通信需要の増加に伴い、大容量のデータの通信が可能である波長分割多重通信（ＷＤＭ：Wavelength  Division  Multiplexing）を用いた光通信システム（以下、ＷＤＭ通信システムと記す）が知られている。ＷＤＭは、複数の異なる波長を有する光信号を多重化することにより異なる情報を同時に転送する通信手段である。
【０００３】
ＷＤＭ通信システムでは、複数の情報を所望の出力先に送信するために、ネットワーク上の光伝送装置内で波長選択スイッチが用いられている。例えば、波長選択スイッチは、受信した光信号を多重化したり、多重化された光信号から任意波長の光信号を分離したりすることで、情報の転送経路を切り替える。
【０００４】
図１５は、従来の波長選択スイッチの一例を説明するための説明図である。例えば、波長選択スイッチは、図１５の（Ａ）の側面図に示すように、光信号が入力される入力ポートと光信号を出力する出力ポートとをそれぞれ複数有する。そして、波長選択スイッチは、入力ポートから入力された光信号および出力ポートから出力する光信号をコリメートするためのレンズ等を有する第１光学系を有する。
【０００５】
ここで、図１５の（Ｂ）の上面図に示すように、波長選択スイッチに「波長：λ1〜λm」のｍ種類の波長からなる多重化された光信号が入力された場合には、波長選択スイッチは、入力ポートから入力された光信号を第１光学系でコリメートし、波長分岐部に入射させる。波長分岐部は、回折格子を有しており、入射された光信号を波長ごとに分岐する。具体的には、波長分岐部は、光信号をＸ軸方向にｍ個の光信号に分岐する。そして、第２光学系は、波長分岐部によって波長ごとに分岐された各光信号を集光し、波長ごとに対応付けられたｍ個のＭＥＭＳ（Micro Electro Mechanical Systems）ミラーを並べたＭＥＭＳアレイに入射させる。
【０００６】
ここで、ＭＥＭＳアレイは、ＭＥＭＳミラーをＸ軸周りに回転し、ミラーの角度を変えることによって、各波長の光信号が任意の出力ポートから出力されるように光信号を反射する。そして、波長選択スイッチは、ＭＥＭＳミラーによって反射した光信号を第２光学系によってコリメートして、波長分岐部を介して任意の出力ポートから出力する。なお、波長選択スイッチは、ＭＥＭＳミラーをＸ軸周りもしくはＹ軸周りに微小に回転させることにより、波長ごとに任意の減衰率で出力されるように設定することができる。また、実線は光信号の光路を示し、双方向の矢印は光信号の進行方向を示す。
【０００７】
なお、図１５では、入力および出力ともに複数のポートを有する波長選択スイッチについて説明したが、入力および出力ともに1ポートのみの波長選択スイッチや、入力が1ポートで出力が複数ポートある波長選択スイッチ（ＤＲＯＰ型波長選択スイッチ）が知られている。また、入力が複数ポートで出力が1ポートのみの波長選択スイッチ（ＡＤＤ型波長選択スイッチ）や、ＭＥＭＳミラーの代わりに波長ごとの光信号の偏光方向を切り替えることによって出力ポートを切り替える波長選択スイッチも知られている。
【先行技術文献】
【特許文献】
【０００８】
【特許文献１】特表２００４−５３２５４４号公報
【特許文献２】特開２００５−７０５４６号公報
【発明の概要】
【発明が解決しようとする課題】
【０００９】
しかしながら、波長選択スイッチは、ネットワーク上の光伝送装置内で複数使用されている場合が多く、さらに、空間光学系により実現されるため、複数の波長選択スイッチを有する装置を小型化することは困難であるという問題があった。例えば、リング型ネットワーク上の分岐点にある光伝送装置内に光分岐挿入多重化装置（ＲＯＡＤＭ：Reconfigurable Optical Add/Drop Multiplexer）を用いる場合には、EAST-WESTとWEST-EASTでそれぞれADD型波長選択スイッチが一台ずつ使用される。また、任意波長の光信号を挿入、分岐することができる任意波長型光分岐挿入装置（ＤＯＡＤＭ：Dynamic Optical Add/Drop multiplex)を用いる場合には、ＡＤＤ型波長選択スイッチとＤＲＯＰ型波長選択スイッチが一台ずつ使用される。
【００１０】
そこで、本開示の技術は、上述した従来技術の問題を鑑みて、複数の波長選択スイッチを有する装置を小型化することが可能となる波長選択スイッチおよび光伝送装置を提供することを目的とする。
【課題を解決するための手段】
【００１１】
上述した課題を解決し、目的を達成するため、この装置は、偏波制御部が第１入力部から入力された波長多重光である第１光信号の偏波面を所定の方向に揃えるように制御する。また、偏波制御部が、第２入力部から入力された波長多重光である第２光信号の偏波面を所定の方向と直交する方向に揃えるように制御する。そして、波長分岐部が、偏波制御部によって偏波面の方向が制御された第１光信号および第２光信号に多重化されている光信号それぞれの光路を波長ごとに分岐する。そして、偏光分離部が、波長分岐部によって波長ごとに分岐された光信号それぞれを、偏波面の方向に基づいて分離し、集光部が、偏光分離部によって分離された光信号をそれぞれ集光する。そして、光信号反射部が、集光部によって集光された光信号をそれぞれ反射する。そして、反射制御部が、光信号反射部に入射された光信号の入射位置に基づいて、第１光信号に多重化されていた光信号が第１入力部に対応する第１出力部から出力されるように光信号反射部を制御する。また、反射制御部が、第２光信号に多重化されていた光信号が第２入力部に対応する第２出力部から出力されるように光信号反射部を制御する。
【発明の効果】
【００１２】
開示の装置は、複数の波長選択スイッチを有する装置を小型化することが可能となる。
【図面の簡単な説明】
【００１３】
【図１】図１は、実施例１にかかる波長選択スイッチの構成を説明するための説明図である。
【図２】図２は、実施例２にかかる波長選択スイッチが組み込まれる光伝送装置を説明するための説明図である。
【図３】図３は、実施例２にかかる波長選択スイッチの組み込み位置を説明するための説明図である。
【図４】図４は、実施例２にかかる波長選択スイッチの構成を説明するための説明図である。
【図５】図５は、第１光学系を説明するための説明図である。
【図６】図６は、波長分岐部を説明するための説明図である。
【図７】図７は、第３光学系を説明するための説明図である。
【図８】図８は、反射制御部を説明するための説明図である。
【図９】図９は、実施例２にかかる波長選択スイッチによる処理の手順を説明するための図である。
【図１０】図１０は、波長分岐部の変形例を説明するための説明図である。
【図１１】図１１は、反射制御部の変形例を説明するための説明図である。
【図１２】図１２は、実施例３にかかる波長選択スイッチの組み込み位置を説明するための説明図である。
【図１３】図１３は、実施例３にかかる波長選択スイッチの構成を説明するための説明図である。
【図１４】図１４は、波長選択スイッチの組み込みの変形例を説明するための説明図である。
【図１５】図１５は、従来技術を説明するための説明図である。
【発明を実施するための形態】
【００１４】
以下に添付図面を参照して、本願の開示する波長選択スイッチおよび光伝送装置の実施例を詳細に説明する。
【実施例１】
【００１５】
まず、図１を用いて、本実施例にかかる波長選択スイッチの構成を説明する。図１は、実施例１にかかる波長選択スイッチの構成を説明するための説明図である。図１に示すように、波長選択スイッチは、偏波制御部１と、波長分岐部２と、偏光分離部３と、集光部４と、光信号反射部５と、反射制御部６とを有する。そして、波長選択スイッチは、第１入力部から入力された光信号または第２入力部から入力された光信号を、それぞれ第１出力部または第２出力部から出力する。
【００１６】
偏波制御部１は、第１入力部から入力された波長多重光である第１光信号の偏波面を所定の方向に揃え、かつ、第２入力部から入力された波長多重光である第２光信号の偏波面を所定の方向と直交する方向に揃えるように制御する。
【００１７】
波長分岐部２は、偏波制御部１によって偏波面の方向が制御された第１光信号および第２光信号に多重化されている光信号それぞれの光路を波長ごとに分岐する。そして、偏光分離部３は、波長分岐部２によって波長ごとに分岐された光信号それぞれを、偏波面の方向に基づいて、異なる方向に分離する。
【００１８】
集光部４は、偏光分離部３によって異なる方向に分離された光信号をそれぞれ集光し、光信号反射部５は、集光部４によって集光された光信号をそれぞれ反射する。そして、反射制御部６は、光信号反射部５に入射された光信号の入射位置に基づいて、第１光信号に多重化されていた光信号が第１入力部に対応する第１出力部から出力されるように光信号反射部５を制御する。また、反射制御部６は、第２光信号に多重化されていた光信号が第２入力部に対応する第２出力部から出力されるように光信号反射部５を制御する。
【００１９】
上述したように、実施例１によれば、第１入力部から入力された第１光信号と、第２入力部から入力された第２光信号とを単一の波長分岐部２および集光部４を用いて確実に分離することができる。したがって、２つの波長選択スイッチを一体化することができ、複数の波長選択スイッチを有する装置を小型化することが可能となる。
【実施例２】
【００２０】
［実施例２にかかる波長選択スイッチの構成］
以下では、まず、実施例２にかかる波長選択スイッチが組み込まれる光伝送装置について図２および図３を用いて説明し、次に波長選択スイッチの構成について図４〜８を用いて説明する。図２は、実施例２にかかる波長選択スイッチが組み込まれる光伝送装置を説明するための説明図である。
【００２１】
図２に示す光伝送装置は、例えば、リング型ネットワーク上の分岐点に配置され、種々の情報を含む多重化された光信号をネットワークのＥＡＳＴ側からＷＥＳＴ側へ伝送したり、ＷＥＳＴ側からＥＡＳＴ側へと伝送したりする。また、光伝送装置は、図２に示すように、光分岐挿入多重化装置（ＲＯＡＤＭ：Reconfigurable Optical Add/Drop Multiplexer）と任意波長型光分岐挿入装置（ＤＯＡＤＭ：Dynamic Optical Add/Drop multiplex)とを有する。そして、光伝送装置は、ＲＯＡＤＭやＤＯＡＤＭを用いて図示しない端末などからネットワークへ情報を伝送したり、ネットワークから図示しない端末などへ情報を伝送したりする。
【００２２】
ここで、光伝送装置は、波長選択スイッチ（ＷＳＳ：Wavelength  Selectable  Switch）を用いて複数の光信号を多重化したり、多重化された光信号から任意波長の光信号を分離したりすることで、情報の伝送経路を切り替える。例えば、光伝送装置は、図２に示すように合波用ＡＤＤ型ＷＳＳ１と、合波用ＡＤＤ型ＷＳＳ２と、ハブ用ＤＲＯＰ型ＷＳＳと、波長多重用ＡＤＤ型ＷＳＳと、波長分離用ＤＲＯＰ型ＷＳＳとを有する。
【００２３】
例えば、合波用ＡＤＤ型ＷＳＳ１は、図２に示すように、ネットワークのＷＥＳＴ側の受信アンプによって受信された光信号にＲＯＡＤＭから転送された所定の波長の光信号を多重化して、ＥＡＳＴ側の送信アンプに転送する。そして、ＥＡＳＴ側の送信アンプは、合波用ＡＤＤ型ＷＳＳ１によって多重化された光信号をネットワークのＥＡＳＴ側へと送信する。
【００２４】
また、合波用ＡＤＤ型ＷＳＳ２は、図２に示すように、ネットワークのＥＡＳＴ側の受信アンプによって受信された光信号にＲＯＡＤＭまたはＤＯＡＤＭから転送された所定の波長の光信号を多重化して、ＷＥＳＴ側の送信アンプに転送する。そして、ＷＥＳＴ側の送信アンプは、合波用ＡＤＤ型ＷＳＳ２によって多重化された光信号をネットワークのＷＥＳＴ側へと送信する。
【００２５】
ハブ用ＤＲＯＰ型ＷＳＳは、図２に示すように、ネットワークのＷＥＳＴ側の受信アンプによって受信された光信号からハブネットワークに伝送する所定の波長の光信号を分離する。ここで、図示しない端末などとネットワークとの光信号の伝送に用いられるＲＯＡＤＭは、合波用ＡＤＤ型ＷＳＳに転送する特定波長の光信号を多重化したり、分離したりする。
【００２６】
例えば、ＲＯＡＤＭは、図２に示すように、トランスポンダと、ＭＵＸ（Multiplexer）／ＤＥＭＵＸ（Demultiplexer）とを有する。そして、図示しない端末などから受信した情報をネットワークに伝送する場合には、トランスポンダが、端末などから受信した情報を適切な信号レートに変換し、ＦＥＣ（Forward  Error  Correction）コードなどによってエラーを訂正する。そして、トランスポンダは、出力する波長をレーザにより任意の波長に変調して、ＭＵＸ／ＤＥＭＵＸに出力する。
【００２７】
ＭＵＸ／ＤＥＭＵＸは、複数の特定波長の光信号を多重化して一つの光信号にしたり、多重化された光信号から特定波長の光信号を分離したりする。例えば、ＭＵＸ／ＤＥＭＵＸは、トランスポンダから入力された光信号のなかでいくつかの特定波長の光信号のみを多重化して一つの光信号にし、合波用ＡＤＤ型ＷＳＳに転送する。
【００２８】
また、ネットワークから図示しない端末などへ情報を伝送する場合には、ＭＵＸ／ＤＥＭＵＸは、多重化された光信号から特定波長の光信号のみを分離して、トランスポンダに転送する。そして、トランスポンダは、ＦＥＣコードなどによってエラーを訂正し、図示しない端末へと信号を出力する。
【００２９】
同様に、図示しない端末などとネットワークとの光信号の伝送に用いられるＤＯＡＤＭは、トランスポンダを介して光信号の伝送を行うが、図２に示すように、ＭＵＸ／ＤＥＭＵＸではなく波長多重用ＡＤＤ型ＷＳＳと波長分離用ＤＲＯＰ型ＷＳＳとを有する。すなわち、ＤＯＡＤＭは、トランスポンダから出力された光信号のなかから任意波長の光信号を多重化したり、多重化された光信号のなかから任意波長の光信号を分離したりすることができる。
【００３０】
上述したように、光伝送装置は、ネットワーク上の分岐点で情報の転送経路の切り替えを種々のＷＳＳを用いて行っている。そこで、本実施例では、２つの波長選択スイッチを一体化することにより、波長選択スイッチにかかるコストを低減する。以下で、実施例２にかかる波長選択スイッチの組み込み位置を、図３を用いて説明する。図３は、実施例２にかかる波長選択スイッチに組み込み位置を説明するための図である。
【００３１】
実施例２にかかる波長選択スイッチは、図３の（Ａ）に示すように、図２に示した光伝送装置の合波用ＡＤＤ型ＷＳＳ１および合波用ＡＤＤ型ＷＳＳ２の位置に組み込まれる。すなわち、実施例２では、合波用ＡＤＤ型ＷＳＳ１および合波用ＡＤＤ型ＷＳＳ２それぞれの機能を有するように、合波用ＡＤＤ型ＷＳＳ１と合波用ＡＤＤ型ＷＳＳ２とを一体化させた例について説明する。
【００３２】
ここで、実施例２にかかる波長選択スイッチの組み込み位置にあるＡＤＤ型ＷＳＳについて説明する。ＡＤＤ型ＷＳＳは、図３の（Ｂ）に示すように、１番からＮ番までの複数の入力ポートを有する。そして、ＡＤＤ型ＷＳＳに「波長：λ1〜λm」のｍ種類の波長の光信号が入力された場合には、ＡＤＤ型ＷＳＳは、各入力ポートから入力された光信号を第１光学系でコリメートし、波長分岐部に入射させる。そして、ＡＤＤ型ＷＳＳは、波長分岐部によって光信号を波長ごとに分岐する。そして、ＡＤＤ型ＷＳＳは、波長に応じて分岐した各光信号を第２光学系によって集光し、ＭＥＭＳミラーを有するＭＥＭＳアレイに入射させる。そして、一つの出力ポートからｍ種類の波長の光信号が多重化されて出力されるようにＭＥＭミラーの角度を調整して、光信号を反射させる。
【００３３】
次に、実施例２にかかる波長選択スイッチの構成について説明する。図４は、実施例２にかかる波長選択スイッチの構成を説明するための説明図である。図４に示すように、波長選択スイッチは、合波用ＡＤＤ型ＷＳＳ１の機能を有する部分であるＷＳＳ１と合波用ＡＤＤ型ＷＳＳ２の機能を有する部分であるＷＳＳ２とを有する。そして、波長選択スイッチは、ＷＳＳ１およびＷＳＳ２それぞれに１番からＮ番までの複数の入力ポートと、一つの出力ポートとを有し、ポートごとに第１光学系１０を有している。
【００３４】
また、波長選択スイッチは、波長分岐部２０と、第３光学系３０と、第２光学系４０と光信号反射部５０と、反射制御部６０とを有する。ＷＳＳ１の１番からＮ番までの入力ポートは、所定の伝送経路を介して伝送された光信号が入力されるポートである。例えば、ＷＳＳ１の１番からＮ番まで入力ポートは、図３の（Ａ）に示すネットワークのＷＥＳＴ側から伝送された光信号が入力される。
【００３５】
ＷＳＳ２の１番からＮ番まで入力ポートは、ＷＳＳ１の入力ポートに入力される光信号が伝送された伝送経路とは異なる伝送経路を介して伝送された光信号が入力されるポートである。例えば、ＷＳＳ２の１番からＮ番まで入力ポートは、図３の（Ａ）に示すネットワークのＥＡＳＴ側から伝送された光信号やＲＯＡＤＭから伝送された光信号が入力される。
【００３６】
ＷＳＳ１の出力ポートは、多重化された光信号を所定の出力先へ出力する。例えば、ＷＳＳ１の出力ポートは、図３の（Ａ）に示すネットワークのＥＡＳＴ側へ多重化された光信号を出力する。また、ＷＳＳ２の出力ポートは、多重化された光信号をＷＳＳ１の出力ポートの出力先とは異なる出力先へ出力する。例えば、ＷＳＳ２の出力ポートは、図３の（Ａ）に示すネットワークのＷＥＳＴ側へ多重化された光信号を出力する。
【００３７】
第１光学系１０は、第１入力部から入力された波長多重光である第１光信号の偏波面を所定の方向に揃え、かつ、第２入力部から入力された波長多重光である第２光信号の偏波面を所定の方向と直交する方向に揃えるように制御する。具体的には、第１光学系１０は、ＷＳＳ１の１番からＮ番までの入力ポートから入力された光信号である第１光信号の電場の方向を所定の方向に揃えるように制御する。また、第１光学系１０は、ＷＳＳ２の１番からＮ番までの入力ポートから入力された光信号である第２光信号の電場の方向を、ＷＳＳ１の入力ポートから入力された光信号の電場の方向と直交する方向に揃えるように制御する。なお、以下では電場の方向を偏波方向と記す。
【００３８】
ここで、第１光学系が光信号の偏波方向を制御する例を説明する。図５は、第１光学系を説明するための図である。なお、図５は第１光学系を上面から見た図である。例えば、第１光学系１０は、図５の（Ａ）に示すように、偏光子として光学軸の異なる二つの結晶を合わせた複屈折結晶を有し、光信号の偏波方向を地面に対して平行方向または垂直方向になるように制御する。そして、図５の（Ｂ）に示すように、第１光学系は、λ／２波長板を異なる位置に配置することにより、ＷＳＳ１の各入力ポートから入力された光信号の偏波方向とＷＳＳ２の各入力ポートから入力された光信号の偏波方向とが直交するように制御する。
【００３９】
例えば、図５の（Ｂ）に示すように、ＷＳＳ１の第１光学系は、コリメートレンズを介して複屈折結晶に入射し、偏波方向が制御された光信号のうち、偏波方向が地面に対して平行方向になるように制御された光信号が出射される位置にλ／２波長板を有する。したがって、偏波方向が地面に対して平行方向になっていた光信号の偏波方向が９０度回転して、地面に対して垂直方向になり、図５の（Ｂ）に示すように、ＷＳＳ１の第１光学系を透過したすべての光信号の偏波方向が地面に対して垂直方向となる。
【００４０】
一方、ＷＳＳ２の第１光学系は、コリメートレンズを介して複屈折結晶に入射し、偏波方向が制御された光信号のうち、偏波方向が地面に対して垂直方向になるように制御された光信号が出射される位置にλ／２波長板を有する。したがって、偏波方向が地面に対して垂直方向になっていた光信号の偏波方向が９０度回転して、地面に対して平行方向になり、図５の（Ｂ）に示すように、ＷＳＳ２の第１光学系を透過したすべての光信号の偏波方向が地面に対して平行方向となる。
【００４１】
図４に戻って、波長分岐部２０は、第１光学系１０によって偏波面の方向が制御された第１光信号および第２光信号に多重化されている光信号それぞれの光路を波長ごとに分岐する。具体的には、波長分岐部２０は、透過型回折格子または反射型回折格子を有し、ＷＳＳ１の各入力ポートから入力された後、偏波方向が揃えられた第１光信号の光路を波長ごとに分岐する。また、波長分岐部２０は、ＷＳＳ２の各入力ポートから入力された後、偏波方向が揃えられた第２光信号の光路を波長ごとに異なる方向に分岐する。
【００４２】
図６は波長分岐部を説明するための説明図である。例えば、波長分岐部２０が透過型回折格子を有する場合には、図６の（Ａ）に示すように、第１光学系１０を介して入射された光信号を出射する際に波長ごとに分岐する。また、波長分岐部２０が反射型回折格子を有する場合には、図６の（Ｂ）に示すように、第１光学系１０を介して入射された光信号を反射する際に波長ごとに分岐する。
【００４３】
図４に戻って、第３光学系３０は、波長分岐部２０によって波長ごとに分岐された光信号それぞれを、偏波面の方向に基づいて異なる方向に分離する。具体的には、第３光学系３０は、偏波方向が所定の方向に揃えられた光信号と、所定の方向に直交する方向に揃えられた光信号とをそれぞれ異なる方向に分離する。
【００４４】
ここで、第３光学系が偏波方向に基づいて光信号の進行方向を制御する例を説明する。図７は、第３光学系を説明するための説明図である。なお、図７は、第３光学系を側面から見た図である。例えば、図７に示すように、第３光学系３０は、光学軸が地面に対して垂直である結晶と光学軸が地面に対して平行である結晶とを斜めに合わせた複屈折結晶を有する。そして、第３光学系３０は、図７に示すように、入射された光信号の偏波方向が地面に対して垂直である光信号を上方向に出射し、入射された光信号の偏波方向が地面に対して平行である光信号を下方向に出射する。
【００４５】
例えば、第３光学系３０は、偏波方向が地面に対して垂直であるＷＳＳ１の光信号を上方向に出射し、偏波方向が地面に対して平行であるＷＳＳ２の光信号を下方向に出射することにより、ＷＳＳ１の光信号とＷＳＳ２の光信号とを分離する。図４に戻って、第２光学系４０は、第３光学系３０によって異なる方向に分離された光信号それぞれを集光する。例えば、第２光学系４０は、レンズなどを有し、第３光学系３０によって上方向に出射されたＷＳＳ１の光信号と、第３光学系３０によって下方向に出射されたＷＳＳ２の光信号とをそれぞれ集光する。
【００４６】
光信号反射部５０は、第２光学系４０によって集光された光信号をそれぞれ反射する。具体的には、光信号反射部５０は、ＭＥＭＳミラーを有し、第２光学系４０によって集光された光信号それぞれを反射する。例えば、光信号反射部５０は、ＷＳＳ１の光信号を反射するＭＥＭＳミラーと、ＷＳＳ２の光信号を反射するＭＥＭＳミラーとを有し、それぞれの光信号を第２光学系４０の方向に反射する。
【００４７】
反射制御部６０は、光信号反射部５０に入射された光信号の入射位置に基づいて、第１光信号に多重化されていた光信号がＷＳＳ１の入力ポートに対応する出力ポートから出力されるように光信号反射部５０を制御する。また、反射制御部６０は、第２光信号に多重化されていた光信号がＷＳＳ２の入力ポートに対応する出力ポートから出力されるように光信号反射部５０を制御する。具体的には、反射制御部６０は、第１光信号および第２光信号それぞれに多重化されていた波長ごとの光信号がＷＳＳ１の出力ポートおよびＷＳＳ２の出力ポートそれぞれから出力されるようにＭＥＭＳミラーの角度を制御する。また、反射制御部６０は、第１光信号および第２光信号それぞれに多重化されていた波長ごとの光信号が所定の減衰率で出力されるようにＭＥＭＳミラーの角度を制御する。
【００４８】
例えば、反射制御部６０は、ＷＳＳ１の各入力ポートから入力された光信号がＷＳＳ１の出力ポートから所定の減衰率で出力されるようにＭＥＭＳミラーの角度を制御する。すなわち、反射制御部６０は、ＷＳＳ１の光信号を、波長ごとの光信号の出力が均等になるようにし、かつ、ＷＳＳ１の出力ポートから出力されるようにＭＥＭＳミラーの角度を制御する。また、反射制御部６０は、ＷＳＳ２の各入力ポートから入力された光信号が所定の減衰率でＷＳＳ２の出力ポートから出力されるようにＭＥＭＳミラーの角度を制御する。すなわち、反射制御部６０は、ＷＳＳ２の光信号を、波長ごとの光信号の出力が均等になるようにし、かつ、ＷＳＳ２の出力ポートから出力されるようにＭＥＭＳミラーの角度を制御する。
【００４９】
図８は、反射制御部を説明するための説明図である。反射制御部６０は、図８の（Ａ）に示すように、ＭＥＭＳミラーをＸ軸方向およびＹ軸方向に回転させることにより、波長ごとの光信号の出力が均等になるようにしたり、光信号が所定の出力ポートから出力されるようにしたりする。ここで、ＭＥＭＳミラーの角度と光信号の減衰率との関係を図８の（Ｂ）を用いて説明する。図８の（Ｂ）の縦軸は、光信号の減衰率（ロス（ｄＢ））を示し、横軸は、第２光学系の焦点距離（Ｆ）とＭＥＭＳミラーの角度（θ）との積算値を示す。図８の（Ｂ）に示すように、第２光学系の焦点距離（Ｆ）とＭＥＭＳミラーの角度（θ）との積算値の増加に伴って、光信号が減衰する。すなわち、第２光学系の焦点距離（Ｆ）が等しい場合であっても、ＭＥＭＳミラーの角度（θ）が増すことによって光信号が減衰する。
【００５０】
［実施例２にかかる波長選択スイッチによる処理の手順］
次に、図９を用いて、実施例２にかかる波長選択スイッチによる処理の手順を説明する。図９は、実施例２にかかる波長選択スイッチによる処理の手順を説明するための図である。図９に示すように、まず、実施例２にかかる波長選択スイッチでは、光信号が入力ポートから入力されると（ステップＳ１０１肯定）、第１光学系１０は、入力された光信号の偏波方向を統一する（ステップＳ１０２）。具体的には、第１光学系１０は、ＷＳＳ１の各入力ポートから入力された光信号の偏波方向を所定の方向に揃え、ＷＳＳ２の各入力ポートから入力された光信号の偏波方向を所定の方向と直交する方向に揃える。
【００５１】
そして、波長分岐部２０は、第１光学系１０によって偏波方向が制御された第１光信号および第２光信号に多重化されている光信号それぞれを波長ごとに分岐する（ステップＳ１０３）。具体的には、波長分岐部２０は、透過型回折格子または反射型回折格子を有し、ＷＳＳ１の各入力ポートから入力された光信号およびＷＳＳ２の各入力ポートから入力された光信号それぞれの光路を波長ごとに異なる方向に分岐する。
【００５２】
その後、第３光学系３０は、波長分岐部２０によって波長ごとに分岐された光信号それぞれを偏波方向に基づいて分離する（ステップＳ１０４）。具体的には、第３光学系３０は、偏波方向が所定の方向に揃えられた第１光信号と偏波方向が所定の方向と直交する方向に揃えられた第２光信号とを異なる進行方向に分離する。
【００５３】
そして、第２光学系４０は、波長分岐部２０によって波長ごとに分岐された後、さらに第３光学系３０によって偏波方向ごとに分離された光信号を集光する（ステップＳ１０５）。そして、反射制御部６０は、光信号反射部５０を制御して、集光された光信号を対応する出力ポートに反射する（ステップＳ１０６）。例えば、反射制御部６０は、第１光信号がＷＳＳ１の出力ポートから出力されるように光信号反射部５０を制御する。また、反射制御部６０は、第２光信号がＷＳＳ２の出力ポートから出力されるように光信号反射部５０を制御する。
【００５４】
そして、第２光学系４０は、光信号反射部５０によって反射された光信号をコリメートして、第３光学系３０に出射する。そして、ＷＳＳ１およびＷＳＳ２の出力ポートは、第３光学系３０、波長分岐部２０および第１光学系１０を介して入射された波長多重光を出力し（ステップＳ１０７）、処理を終了する。
【００５５】
ここで、実施例２にかかる波長選択スイッチの波長分岐部および反射制御部の変形例を、図１０および図１１を用いて順に説明する。まず、実施例２にかかる波長選択スイッチの波長分岐部は、上述したように透過型回折格子または反射型回折格子を有し、入力された光信号を波長ごとに分岐するが、以下で説明するように、光信号の偏波方向をさらに制御するようにしてもよい。
【００５６】
すなわち、波長分岐部２０は、反射型回折格子または透過型回折格子からなる第１の回折格子および第２の回折格子を有し、第１の回折格子によって分岐された第１光信号の偏波面を所定の方向と直交する方向に揃えるように制御する。また、波長分岐部２０は、第１の回折格子によって分岐された第２の光信号の偏波面を所定の方向に揃えるように制御したのち、偏波面が揃えられた第１光信号および第２光信号を第２の回折格子に入射させる。
【００５７】
図１０は、波長分岐部の変形例を説明するための説明図である。例えば、波長分岐部２０は、図１０に示すように、回折格子および波長板を、光信号の入射方向から順に回折格子、波長板、回折格子となるように有し、第１光信号および第２光信号の偏波方向を制御する。例えば、波長分岐部２０は、第１光学系１０によって偏波方向が地面に対して垂直方向に制御された第１光信号の偏波方向を、回折格子の間に配置した波長板によって９０度回転させる。同様に、波長分岐部２０は、第１光学系１０によって偏波方向が地面に対して平行方向に制御された第２光信号の偏波方向を、回折格子の間に配置した波長板によって９０度回転させる。すなわち、第１光信号および第２光信号は、偏波方向が地面に対して垂直方向および平行方向になっている状態それぞれで回折格子に入射されることとなる。
【００５８】
次に、実施例２にかかる波長選択スイッチの反射制御部は、光信号反射部５０が有するＭＥＭＳミラーの角度を変えることによって光信号の減衰率を制御するが、液晶素子を制御することによって光信号の減衰率を制御してもよい。すなわち、光信号反射部５０は、ＭＥＭＳミラーおよび液晶素子を有する。そして、反射制御部６０は、第１光信号および第２光信号それぞれに多重化されていた波長ごとの光信号がＷＳＳ１の出力ポートおよびＷＳＳ２の出力ポートそれぞれから出力されるようにＭＥＭＳミラーの角度を制御する。そして、反射制御部６０は、波長ごとの光信号が所定の減衰率になるように液晶素子を制御する。
【００５９】
図１１は、反射制御部の変形例を説明するための説明図である。例えば、図１１の（Ａ）に示すように、光信号反射部５０が液晶素子とＭＥＭＳミラーとを有し、反射制御部６０は、ＭＥＭＳミラーをＸ軸方向に回転させることによって、第２光学系４０から入射された光信号の出力先を制御する。そして、反射制御部６０は、図１１の（Ａ）に示すように配置された液晶素子に電圧を印加することによって波長ごとの光信号の減衰率を制御する。
【００６０】
ここで、液晶素子の印加電圧と光信号の減衰率との関係を図１１の（Ｂ）を用いて説明する。図１１の（Ｂ）の縦軸は、光信号の減衰率（ｄＢ）を示し、横軸は、印加電圧（Voltage(V)）を示す。図１１の（Ｂ）に示すように、印加電圧の増加に伴って、光信号が減衰する。
【００６１】
［実施例２の効果］
上述したように、実施例２によれば、第１光学系１０は、ＷＳＳ１の入力ポートから入力された波長多重光である第１光信号の偏波面を所定の方向に揃えるように制御する。また、第１光学系１０は、ＷＳＳ２の入力ポートから入力された波長多重光である第２光信号の偏波面を所定の方向と直交する方向に揃えるように制御する。そして、波長分岐部２０は、第１光学系１０によって偏波面の方向が制御された第１光信号および第２光信号に多重化されている光信号それぞれの光路を波長ごとに分岐する。そして、第３光学系３０は、波長分岐部２０によって波長ごとに分岐された光信号それぞれを、偏波面の方向に基づいて、異なる方向に分離し、第２光学系４０は、第３光学系３０によって異なる方向に分離された光信号それぞれを集光する。そして、光信号反射部５０は、第２光学系４０によって集光された光信号それぞれを反射する。そして、反射制御部６０は、光信号反射部５０に入射された光信号の入射位置に基づいて、第１光信号に多重化されていた光信号がＷＳＳ１の出力ポートから出力されるように光信号反射部５０を制御する。また、反射制御部６０は、第２光信号に多重化されていた光信号がＷＳＳ２の出力ポートから出力されるように光信号反射部５０を制御する。したがって、単一の波長分岐部２０および第２光学系４０を用いてＷＳＳ１の光信号とＷＳＳ２の光信号とを確実に分離できることから、２つの波長選択スイッチを一体化することができ、複数の波長選択スイッチを有する装置を小型化することが可能となる。さらに、波長選択スイッチの空間光学系に用いられる回折格子などの光部品は高価である場合が多く、単一の光部品を共用することが可能になることで、波長選択スイッチにかかるコストを低減することも可能となる。
【００６２】
また、実施例２によれば、光信号反射部５０は、ＭＥＭＳミラーを有し、反射制御部６０は、第１光信号および第２光信号それぞれに多重化されていた波長ごとの光信号がＷＳＳ１の出力ポートおよびＷＳＳ２の出力ポートそれぞれから所定の減衰率で出力されるようにＭＥＭＳミラーの角度を制御する。したがって、波長ごとの光信号の光強度を揃えた波長多重光を出力することができ、光信号の安定したスイッチングが可能となる。
【００６３】
また、実施例２によれば、光信号反射部５０は、ＭＥＭＳミラーおよび液晶素子を有し、反射制御部６０は、第１光信号および第２光信号それぞれに多重化されていた波長ごとの光信号がＷＳＳ１の出力ポートおよびＷＳＳ２の出力部ポートそれぞれから出力されるようにＭＥＭＳミラーの角度を制御し、波長ごとの光信号が所定の減衰率になるように液晶素子を制御する。したがって、波長ごとの光信号の光強度を簡易に揃えることが可能となる。
【００６４】
また、実施例２によれば、波長分岐部２０は、反射型回折格子によって第１光信号および第２光信号に多重化された光信号それぞれの光路を波長ごとに異なる方向に分岐する。したがって、光利用効率がよい波長分岐が可能となる。
【００６５】
また、実施例２によれば、波長分岐部２０は、透過型回折格子によって第１光信号および第２光信号に多重化された光信号それぞれの光路を波長ごとに異なる方向に分岐する。したがって、波長分岐部２０が占める空間を狭くすることができ、光学系の設計の自由度を高くすることが可能となる。
【００６６】
また、実施例２によれば、波長分岐部２０は、反射型回折格子または透過型回折格子からなる第１の回折格子および第２の回折格子を有し、第１の回折格子によって分岐された第１光信号の偏波面を所定の方向と直交する方向に揃えるように制御する。また、波長分岐部２０は第１の回折格子によって分岐された第２の光信号の偏波面を所定の方向に揃えるように制御したのち、偏波面が揃えられた第１光信号および第２光信号を第２の回折格子に入射させる。したがって、偏波方向の違いによる回折効率の差異を考慮した光信号の分岐ができ、第１光信号および第２光信号の特性を合わせることが可能となる。
【実施例３】
【００６７】
上述した実施例２では、２つのＡＤＤ型ＷＳＳを一体化する場合について説明したが、実施例３では、ＡＤＤ型ＷＳＳとＤＲＯＰ型ＷＳＳとを一体化する場合について説明する。図１２は、実施例３にかかる波長選択スイッチの組み込み位置を説明するための説明図である。図１２の（Ａ）に示すように、実施例３にかかる波長選択スイッチは、図２に示した光伝送装置のハブ用ＤＲＯＰ型ＷＳＳおよび合波用ＡＤＤ型ＷＳＳ１の位置に組み込まれる。すなわち、実施例３では、ハブ用ＤＲＯＰ型ＷＳＳおよび合波用ＡＤＤ型ＷＳＳ１それぞれの機能を有するように、ハブ用ＤＲＯＰ型ＷＳＳと合波用ＡＤＤ型ＷＳＳ１とを一体化させた例について説明する。
【００６８】
ここで、実施例３にかかる波長選択スイッチの組み込み位置にあるＤＲＯＰ型ＷＳＳについて説明する。ＤＲＯＰ型ＷＳＳは、図１２の（Ｂ）に示すように、一つの入力ポートから入力された入力された光信号を第１光学系でコリメートし、波長分岐部に入射させる。そして、ＤＲＯＰ型ＷＳＳは、波長分岐部によって光信号を波長ごと（波長：λ1〜λm）に分岐する。そして、ＤＲＯＰ型ＷＳＳは、波長に応じて分岐した各光信号を第２光学系によって集光し、ＭＥＭＳミラーを有するＭＥＭＳアレイに入射させる。そして、ＤＲＯＰ型ＷＳＳは、所定の波長の光信号が１番からＮ番までの複数の出力ポートのうち任意の出力ポートから出力されるようにＭＥＭミラーの角度を調整して、光信号を反射させる。
【００６９】
以下で、実施例３にかかる波長選択スイッチの構成について、図１３を用いて説明する。図１３は、実施例３にかかる波長選択スイッチの構成を説明するための説明図である。図１３に示すように、波長選択スイッチは、図４と比較して、ＷＳＳ２がハブ用ＤＲＯＰ型ＷＳＳの機能を有する部分であるＤＲＯＰ型ＷＳＳになっている点が異なる。以下、これを中心に説明する。
【００７０】
図１３に示すように、波長選択スイッチのＤＲＯＰ型ＷＳＳは、一つの入力ポートと１番からＮ番までの複数の出力ポートを有し、入力ポートから入力された波長多重光の所定の波長の光信号を１番からＮ番までのいずれかの出力ポートから出力する。なお、第１光学系１０、波長分岐部２０、第３光学系３０、第２光学系４０光信号反射部５０および反射制御部６０の処理内容は、実施例２と同一であることから説明を省略する。また、実施例３にかかる波長選択スイッチによる処理の手順は、実施例２にかかる波長選択スイッチによる処理の手順と同一であることから説明を省略する。
【００７１】
上述したように、実施例３によれば、ＡＤＤ型ＷＳＳとＤＲＯＰ型ＷＳＳとを一体化した波長選択スイッチを実現する。したがって、光伝送装置の実装に際して、種々の型の波長選択スイッチを一体化することができ、汎用性を高めることが可能となる。
【実施例４】
【００７２】
さて、これまで実施例１〜３について説明したが、上述した実施例１〜３以外にも、種々の異なる形態にて実施されてよいものである。そこで、以下では、種々の異なる実施例を変形例として説明する。
【００７３】
上記した実施例１〜３では、図２に示す合波用ＡＤＤ型ＷＳＳ１と合波用ＡＤＤ型ＷＳＳ２とを一体化した例、または、合波用ＡＤＤ型ＷＳＳ１とハブ用ＤＲＯＰ型ＷＳＳとを一体化した例について説明した。しかしながら、本実施例はこれに限定するものではなく図２に示すＷＳＳを種々の組み合わせで一体化してもよい。
【００７４】
図１４は、波長選択スイッチの組み込みの変形例を説明するための説明図である。図１４の（Ａ）に示すように、本実施例の波長選択スイッチは波長多重用ＡＤＤ型ＷＳＳと波長分離用ＤＲＯＰ型ＷＳＳとを一体化する場合であってもよい。また、図１４の（Ｂ）に示すように、本実施例の波長選択スイッチは波長多重用ＡＤＤ型ＷＳＳと合波用ＡＤＤ型ＷＳＳ２とを一体化する場合であってもよい。また、図１４の（Ｃ）に示すように、本実施例の波長選択スイッチは波長分離用ＤＲＯＰ型ＷＳＳと合波用ＡＤＤ型ＷＳＳ２とを一体化する場合であってもよい。
【００７５】
以上の本実施例を含む実施形態に関し、更に以下の付記を開示する。
【００７６】
（付記１）第１入力部から入力された波長多重光である第１光信号の偏波面を所定の方向に揃え、かつ、第２入力部から入力された波長多重光である第２光信号の偏波面を前記所定の方向と直交する方向に揃えるように制御する偏波制御部と、
前記偏波制御部によって偏波面の方向が制御された前記第１光信号および前記第２光信号に多重化されている光信号それぞれの光路を波長ごとに分岐する波長分岐部と、
前記波長分岐部によって波長ごとに分岐された光信号それぞれを、偏波面の方向に基づいて分離する偏光分離部と、
前記偏光分離部によって分離された光信号をそれぞれ集光する集光部と、
前記集光部によって集光された光信号をそれぞれ反射する光信号反射部と、
前記光信号反射部に入射された光信号の入射位置に基づいて、前記第１光信号に多重化されていた光信号が前記第１入力部に対応する第１出力部から出力され、かつ、前記第２光信号に多重化されていた光信号が前記第２入力部に対応する第２出力部から出力されるように前記光信号反射部を制御する反射制御部と
を有することを特徴とする波長選択スイッチ。
【００７７】
（付記２）前記光信号反射部は、ＭＥＭＳミラーを有し、
前記反射制御部は、前記第１光信号および前記第２光信号それぞれに多重化されていた波長ごとの光信号が前記第１出力部および前記第２出力部それぞれから所定の減衰率で出力されるように前記ＭＥＭＳミラーの角度を制御することを特徴とする付記１に記載の波長選択スイッチ。
【００７８】
（付記３）前記光信号反射部は、ＭＥＭＳミラーおよび液晶素子を有し、
前記反射制御部は、前記第１光信号および前記第２光信号それぞれに多重化されていた波長ごとの光信号が前記第１出力部および前記第２出力部それぞれから出力されるように前記ＭＥＭＳミラーの角度を制御し、当該波長ごとの光信号が所定の減衰率になるように前記液晶素子を制御することを特徴とする付記１に記載の波長選択スイッチ。
【００７９】
（付記４）前記波長分岐部は、反射型回折格子によって前記第１光信号および前記第２光信号に多重化された光信号それぞれの光路を波長ごとに異なる方向に分岐することを特徴とする付記１に記載の波長選択スイッチ。
【００８０】
（付記５）前記波長分岐部は、透過型回折格子によって前記第１光信号および前記第２光信号に多重化された光信号それぞれの光路を波長ごとに異なる方向に分岐することを特徴とする付記１に記載の波長選択スイッチ。
【００８１】
（付記６）前記波長分岐部は、前記反射型回折格子または前記透過型回折格子からなる第１の回折格子および第２の回折格子を有し、前記第１の回折格子によって分岐された前記第１光信号の偏波面を前記所定の方向と直交する方向に揃え、かつ、前記第１の回折格子によって分岐された前記第２の光信号の偏波面を前記所定の方向に揃えるように制御したのち、偏波面が揃えられた第１光信号および第２光信号を前記第２の回折格子に入射させることを特徴とする付記１に記載の波長選択スイッチ。
【００８２】
（付記７）第１入力部から入力された波長多重光である第１光信号の偏波面を所定の方向に揃え、かつ、第２入力部から入力された波長多重光である第２光信号の偏波面を前記所定の方向と直交する方向に揃えるように制御する偏波制御部と、
前記偏波制御部によって偏波面の方向が制御された前記第１光信号および前記第２光信号に多重化されている光信号それぞれの光路を波長ごとに分岐する波長分岐部と、
前記波長分岐部によって波長ごとに分岐された光信号それぞれを、偏波面の方向に基づいて分離する偏光分離部と、
前記偏光分離部によって分離された光信号をそれぞれ集光する集光部と、
前記集光部によって集光された光信号をそれぞれ反射する光信号反射部と、
前記光信号反射部に入射された光信号の入射位置に基づいて、前記第１光信号に多重化されていた光信号が前記第１入力部に対応する第１出力部から出力され、かつ、前記第２光信号に多重化されていた光信号が前記第２入力部に対応する第２出力部から出力されるように前記光信号反射部を制御する反射制御部と
を備える波長選択スイッチを有することを特徴とする光伝送装置。
【００８３】
（付記８）前記光信号反射部は、ＭＥＭＳミラーを有し、
前記反射制御部は、前記第１光信号および前記第２光信号それぞれに多重化されていた波長ごとの光信号が前記第１出力部および前記第２出力部それぞれから所定の減衰率で出力されるように前記ＭＥＭＳミラーの角度を制御することを特徴とする付記７に記載の光伝送装置。
【００８４】
（付記９）前記光信号反射部は、ＭＥＭＳミラーおよび液晶素子を有し、
前記反射制御部は、前記第１光信号および前記第２光信号それぞれに多重化されていた波長ごとの光信号が前記第１出力部および前記第２出力部それぞれから出力されるように前記ＭＥＭＳミラーの角度を制御し、当該波長ごとの光信号が所定の減衰率になるように前記液晶素子を制御することを特徴とする付記７に記載の光伝送装置。
【００８５】
（付記１０）前記波長分岐部は、反射型回折格子によって前記第１光信号および前記第２光信号に多重化された光信号それぞれの光路を波長ごとに異なる方向に分岐することを特徴とする付記７に記載の光伝送装置。
【００８６】
（付記１１）前記波長分岐部は、透過型回折格子によって前記第１光信号および前記第２光信号に多重化された光信号それぞれの光路を波長ごとに異なる方向に分岐することを特徴とする付記７に記載の光伝送装置。
【００８７】
（付記１２）前記波長分岐部は、前記反射型回折格子または前記透過型回折格子からなる第１の回折格子および第２の回折格子を有し、前記第１の回折格子によって分岐された前記第１光信号の偏波面を前記所定の方向と直交する方向に揃え、かつ、前記第１の回折格子によって分岐された前記第２の光信号の偏波面を前記所定の方向に揃えるように制御したのち、偏波面が揃えられた第１光信号および第２光信号を前記第２の回折格子に入射させることを特徴とする付記７に記載の光伝送装置。
【符号の説明】
【００８８】
１  偏波制御部
２  波長分岐部
３  偏光分離部
４  集光部
５  光信号反射部
６  反射制御部
１０  第１光学系
２０  波長分岐部
３０  第３光学系
４０  第２光学系
５０  光信号反射部
６０  反射制御部
【図１】
2011085688.tif 000003
【図２】
2011085688.tif 000004
【図３】
2011085688.tif 000005
【図４】
2011085688.tif 000006
【図５】
2011085688.tif 000007
【図６】
2011085688.tif 000008
【図７】
2011085688.tif 000009
【図８】
2011085688.tif 000010
【図９】
2011085688.tif 000011
【図１０】
2011085688.tif 000012
【図１１】
2011085688.tif 000013
【図１２】
2011085688.tif 000014
【図１３】
2011085688.tif 000015
【図１４】
2011085688.tif 000016
【図１５】
2011085688.tif 000017